(57)【要約】【課題】ノイズ及び振動を低減できるプラズマディスプレイ装置を提供する。【解決手段】 ノイズ及び振動を低減するためのものであって、画像を表示するプラズマディスプレイパネル（ＰＤＰ）と、ＰＤＰの背面に結合されるシャーシベースと、ＰＤＰとシャーシベースとの間に介装される緩衝部材とを備えるプラズマディスプレイ装置である。【選択図】図１
2006133737.tif 000002
【特許請求の範囲】
【請求項１】
画像を表示するプラズマディスプレイパネルと、
前記プラズマディスプレイパネルの背面に結合されるシャーシベースと、
前記プラズマディスプレイパネルと前記シャーシベースとの間に介装される緩衝部材と、を含むプラズマディスプレイ装置。
【請求項２】
前記緩衝部材は、前記プラズマディスプレイパネルの縁部に対応する位置に設けたことを特徴とする請求項１に記載のプラズマディスプレイ装置。
【請求項３】
前記緩衝部材は、前記プラズマディスプレイパネルの中央部に位置することを特徴とする請求項１に記載のプラズマディスプレイ装置。
【請求項４】
前記緩衝部材は、直線状に備えられたことを特徴とする請求項１に記載のプラズマディスプレイ装置。
【請求項５】
前記緩衝部材は、閉ループ状に備えられたことを特徴とする請求項１に記載のプラズマディスプレイ装置。
【請求項６】
前記シャーシベースは、少なくとも１つの収容部を備え、前記緩衝部材は、前記収容部に収容されたことを特徴とする請求項１に記載のプラズマディスプレイ装置。
【請求項７】
前記収容部は、前記シャーシベースの縁部に対応する位置に設けたことを特徴とする請求項６に記載のプラズマディスプレイ装置。
【請求項８】
前記収容部は、前記シャーシベースの中央部に位置することを特徴とする請求項６に記載のプラズマディスプレイ装置。
【請求項９】
前記収容部は、直線状に備えられたことを特徴とする請求項６に記載のプラズマディスプレイ装置。
【請求項１０】
前記収容部は、閉ループ状に備えられたことを特徴とする請求項６に記載のプラズマディスプレイ装置。
【請求項１１】
前記収容部の端部は、前記シャーシベースの縁部内側に位置することを特徴とする請求項６に記載のプラズマディスプレイ装置。
【請求項１２】
前記収容部の端部は、前記シャーシベースの縁部に接することを特徴とする請求項６に記載のプラズマディスプレイ装置。
【請求項１３】
前記緩衝部材は、前記プラズマディスプレイパネルに接することを特徴とする請求項１ないし１２の何れか１項に記載のプラズマディスプレイ装置。
【請求項１４】
前記緩衝部材は、吸音材または除振材を含むことを特徴とする請求項１ないし１２の何れか１項に記載のプラズマディスプレイ装置。
【請求項１５】
前記プラズマディスプレイパネルと前記シャーシベースとの間に介装される放熱シートをさらに含むことを特徴とする請求項１ないし１２の何れか１項に記載のプラズマディスプレイ装置。
【発明の詳細な説明】
【技術分野】
【０００１】
本発明は、プラズマディスプレイ装置に係り、特に振動及びノイズを低減できるプラズマディスプレイ装置に関する。
【背景技術】
【０００２】
プラズマディスプレイ装置は、ガス放電現象を用いて画像を表示する平板表示装置であって、表示容量、輝度、コントラスト、残像及び視野角などの各種表示能力に優れている。また、薄型でありつつ、大画面表示が可能であって、CRTを代替し得る次世代平板表示装置として脚光を浴びている。
【０００３】
従来のプラズマディスプレイ装置は、画像が表示されるプラズマディスプレイパネル（ＰＤＰ）とＰＤＰの駆動に必要な回路部が背面に設けられたシャーシベースを含み、このようなＰＤＰ及びシャーシベースはキャビネットに収容される。
【０００４】
前記ＰＤＰは、シャーシベースに接合されてキャビネットに収容されるが、このシャーシベースは、ＰＤＰの放熱のために熱伝導率に優れたアルミニウム材より形成され、このパネルがケースに支持されるように所定の剛性を帯びるように構成される。また、前記シャーシベースには、各種の電子部品が装着された回路基板が結合される。
【０００５】
このような構成のプラズマディスプレイ装置は、前記ＰＤＰのプラズマ放電により画像を表示するのであるが、その放電が続くことによって自体の振動及びノイズが発生する。
【０００６】
また、シャーシベースとＰＤＰとが相互に接合されているために、ＰＤＰを駆動するための各種の電子部品と、ＰＤＰを冷却させるための各種の冷却装置とから発生する振動及びノイズも、ＰＤＰへ伝達されて、さらなる振動及びノイズを誘発している。
【０００７】
このようなノイズは、ノイズ測定ポイントから約1cmの距離で1/3  Octave  Bandで測定する場合、良品である場合には約40〜50dB、不良品である場合には約60dBまで発生する。そして、ノイズはおおよそ中央部に比べて、上下エッジ部分でさらに大きく現れ、ノイズが大きく発生する位置で振動も大きく発生して、相関関係が非常に強いということが分かる
【発明の開示】
【発明が解決しようとする課題】
【０００８】
本発明は、前記した問題点を解決するためになされたものであって、ノイズ及び振動を低減することができるプラズマディスプレイ装置を提供するところにその目的がある。
【課題を解決するための手段】
【０００９】
前記目的及びその他の目的を達成するために、本発明の特徴は、画像が具現されるＰＤＰと、前記ＰＤＰの背面に結合されるシャーシベースと、前記ＰＤＰと前記シャーシベースとの間に介装される緩衝部材とを備えるプラズマディスプレイ装置であることを要旨とする。
【発明の効果】
【００１０】
本発明によれば、次のような効果が得られる。
【００１１】
第1に、緩衝部材により、ＰＤＰから発生するノイズ及び振動を低減させることができる。
【００１２】
第2に、シャーシベースから発生するノイズ及び振動も緩衝部材を通じて吸収され、ＰＤＰへの伝達を減らすことができる。
【発明を実施するための最良の形態】
【００１３】
次に、図面を参照して、本発明の第１及び第２の実施の形態を説明する。以下の図面の記載において、同一又は類似の部分には同一又は類似の符号を付している。
【００１４】
（第１の実施の形態）
図1は、本発明の第１の実施の形態に係るプラズマディスプレイ装置を示す分解斜視図であり、図2は、図1のＰＤＰの部分を示す分解斜視図であり、図3は、図1のプラズマディスプレイ装置の組立て後のＩ-Ｉ線の断面図である。
【００１５】
図1に示すように、本発明によるプラズマディスプレイ装置は、ＰＤＰ1と、ＰＤＰ1を固定させ、剛性を与えるためのシャーシベース3とを含む。ＰＤＰ1とシャーシベース3は、リアケース(図示せず)内に収容され、ＰＤＰ1の前面方向からリアケースに結合されるフロントケース(図示せず)が組立てられる。ＰＤＰ1とフロントケースとの間には、赤外線及び電磁波遮蔽用のフィルター部材をさらに設けても良い。
【００１６】
本発明の実施の形態によるプラズマディスプレイ装置に搭載される前記ＰＤＰ1は、図2から分かるように、前面基板11と背面基板12とが対向して配され、前面及び背面基板11、12の間には、ネオン(Ne)やキセノン(Xe)などの放電ガスが充填されて放電空間を構成し、基板の縁部がフリントガラスのような密封材(図示せず)により密封されて結合される。
【００１７】
背面基板12上には、所定のパターンよりなるアドレス電極Aと、誘電体層17が順に形成され、誘電体層17上には、放電距離を保持させ、画素間の電気的光学的クロストークを防止する隔壁18が形成されている。隔壁18により区画された放電空間内の少なくとも片面には蛍光体層19が形成されている。
【００１８】
背面基板12と結合される前面基板11には、アドレス電極Aと直交するように所定パターンのX電極13とY電極14とが対をなして配設されている。X電極13とY電極14は、各々透明電極13a、14aとバス電極13b、14bとを備えている。X電極13とY電極14は、相互間に維持放電を起こす維持電極であって、この維持電極とアドレス電極Aとの交差部分で１つのセルを形成する。
【００１９】
そして、前面基板11の下面には、X電極13及びY電極14が埋め込まれる誘電体層15が形成され、その下部にはMgO層16が形成されている。このような前面基板11と背面基板12により区画された放電空間には所定のガスが注入されている。
【００２０】
このように構成されたＰＤＰ1は、アドレス電極AとX電極13及びY電極14のうち、何れか１つの電極に電圧が印加されることによって、これらの間でアドレス放電が起きて前面基板11の誘電体層15の下面(厳密には、MgO層16の下面)に荷電粒子が形成される。この状態で維持放電がなされるが、この維持放電は、該当するセルのX電極13とY電極14との間に所定の電圧が印加されることによって、前面基板11の誘電体層15の表面でなされる。この時、ガス層でのプラズマの形成によって発生する紫外線により蛍光体が励起されることで画素が形成される。
【００２１】
また、ＰＤＰ１には、コントラストを向上させるために、対となるX及びY電極13、14間にブラック絶縁体のブラックストライプ(Black  Stripe)が形成されていても良い。
【００２２】
上述のＰＤＰ1は、一例に過ぎず、必ずしも前記構造に限定されるものではない。本発明はあらゆるＰＤＰに適用可能である。
【００２３】
ＰＤＰ1の背面基板12にはシャーシベース3が接合される。
【００２４】
シャーシベース3は、ＰＤＰ1を支持及び固定し、放熱するために金属の板状材より形成されたものであるが、アルミニウムまたはアルミニウム合金より形成されていることが望ましい。そして、シャーシベース3とＰＤＰ1との間には、放熱を助長するように、熱伝導性部材より構成された放熱シート2をさらに介装することができる。
【００２５】
シャーシベース3の背面には、複数個のボス31が形成されているが、このボス31に回路基板(図示せず)を装着することができる。この回路基板には、ＰＤＰ1を駆動できるように電子部品(図示せず)が搭載されている。そして、シャーシベース3の縁部には、支持部32を形成することができるが、支持部32はＰＤＰ1から延出されたFPC（flexible printed circuit）がボス31上の回路基板(図示せず)に連結される時、このFPCを支持する。
【００２６】
そして本発明では、このようなシャーシベース3とＰＤＰ1との間に緩衝部材4をさらに介装してある。緩衝部材4は、プラズマディスプレイ装置のノイズ及び振動を低減するためのものであって、吸音材または除振材より形成されるものであるが、同様の機能を果たすものであれば他の材料でも良い。
【００２７】
このような緩衝部材4をシャーシベース3に取り付けるために、シャーシベース3は、収容部33を備える。収容部33に緩衝部材4を接着剤や接着テープにより固定させる。しかし、必ずしもこれに限定されるものではなく、収容部33に緩衝部材4を収容した後、シャーシベース3とＰＤＰ1とを接合することによって、緩衝部材4をＰＤＰ1に密着させて外部への離脱を防止することもできる。
【００２８】
このような収容部33は、図1に示すように、シャーシベース3の所定部分をプレス加工してビード状に形成することができる。
【００２９】
このように形成されたビード状の収容部33に緩衝部材4を入れ、シャーシベース3を放熱シート2及びＰＤＰ1と接合させれば、図3のような断面形状が得られる。
【００３０】
図3から分かるように、前記ビード状の収容部33には、緩衝部材4がはめ込まれており、この時、緩衝部材4は、ＰＤＰ1の背面に接する。
【００３１】
したがって、ＰＤＰ1から発生するノイズ及び振動は、この緩衝部材4により緩和される。そして、シャーシベース3から発生するノイズ及び振動も緩衝部材4を通じて吸収され、ＰＤＰ1への伝達を減少させる。
【００３２】
前記のように緩衝部材4を収容する収容部33は、図1及び図3から分かるように、シャーシベース3の縁部に位置することが望ましい。これはＰＤＰ1の縁部付近でノイズ及び振動が多発するからである。
【００３３】
このような収容部33の形成される位置は、図4に示すように、地面に垂直な方向に延びて地面に平行な方向の両側縁部の間であっても良いし、図5に示すように、シャーシベース3の縁部全体であっても良い。
【００３４】
このように縁部全体に形成されることに加え、図6に示すように、シャーシベース3の中央部に地面に平行な方向に延びるように形成されていても良いし、図7に示すように、シャーシベース3の中央部に地面に垂直な方向に延びるように形成されていても良い。
【００３５】
（第２の実施の形態）
図8は、本発明の第２の実施の形態に係るプラズマディスプレイ装置の分解斜視図であり、図9は、図8のプラズマディスプレイ装置の組立て後におけるII-II線の断面図である。
【００３６】
図8及び図9から分かるように、緩衝部材4を収容する収容部33は、シャーシベース3の縁部に沿って閉ループ状に延ばすことができるが、これはシャーシベース3の成形工程時、プレスによるドローイング工程により形成することができる。
【００３７】
図9から分かるように、このような収容部33は、図1に示すような支持部32が不要となり、シャーシベース3の構造をさらにコンパクトにできる長所がある。
【００３８】
このようにドローイングにより形成される収容部33は、図8及び図9に示すように、縁部全体に亙って形成されていても良いし、図10に示すように、地面に水平な方向に延びるようにシャーシベース3の上下側両端に形成されていても良い。この際、収容部33の両端は、シャーシベース3の左右縁部を通じて外側に向かって開放されている。
【００３９】
また、収容部33は、図11に示すように、地面に垂直な方向に延びるようにシャーシベース3の左右両端に形成されていても良い。この場合にも、収容部33の両端はシャーシベース3の上下縁部を通じて外側に向かって開放されている。
【００４０】
このような収容部33は、図12に示すように、地面に垂直な方向に延びるようにシャーシベース3の上部、中部、下部にわたって形成されていても良いし、図13に示すように、地面に垂直な方向に延びるようにシャーシベース3の左側、中部、右側にわたって形成されていても良い。
【００４１】
このような収容部33の形状は、上記に限定されることはなく、上記の他にも様々な形状とすることができる。
【００４２】
一方、前記緩衝部材4は、必ずしもこのように収容部33に収容される必要はなく、放熱シート2のように薄く形成して、収容部33なしにシャーシベース3のパネル対向面またはＰＤＰ1のシャーシベース3の対向面に付着させても良い。この際、緩衝部材4は、前述した収容部33の位置及び形状と同様に、様々な位置及び形状とすることができる。
【００４３】
上記のように、本発明は第１及び第２の実施の形態によって記載したが、この開示の一部をなす論述及び図面はこの発明を限定するものであると理解すべきではない。この開示から当業者には様々な代替実施の形態、実施例及び運用技術が明らかとなろう。したがって、本発明の技術的保護範囲は特許請求の範囲に係る発明特定事項によってのみ定められるものである。
【産業上の利用可能性】
【００４４】
本発明は、プラズマディスプレイ装置に関連した技術分野に好適に適用することができる。
【図面の簡単な説明】
【００４５】
【図１】本発明の第１の実施の形態に係るプラズマディスプレイ装置を示す分解斜視図である。
【図２】図1のＰＤＰの部分を示す分解斜視図である。
【図３】図1のプラズマディスプレイ装置の組立て後のＩ-Ｉ線の断面図である。
【図４】第１の実施の形態に係るプラズマディスプレイ装置の変形例を示す斜視図である。
【図５】第１の実施の形態に係るプラズマディスプレイ装置の他の変形例を示す斜視図である。
【図６】第１の実施の形態に係るプラズマディスプレイ装置の他の変形例を示す斜視図である。
【図７】第１の実施の形態に係るプラズマディスプレイ装置の他の変形例を示す斜視図である。
【図８】本発明の第２の実施の形態に係るプラズマディスプレイ装置を示す分解斜視図である。
【図９】図8のプラズマディスプレイ装置の組立て後のII-II線の断面図である。
【図１０】第２の実施の形態に係るプラズマディスプレイ装置の変形例を示す斜視図である。
【図１１】第２の実施の形態に係るプラズマディスプレイ装置の他の変形例を示す斜視図である。
【図１２】第２の実施の形態に係るプラズマディスプレイ装置の他の変形例を示す斜視図である。
【図１３】第２の実施の形態に係るプラズマディスプレイ装置の他の変形例を示す斜視図である。
【符号の説明】
【００４６】
１      ＰＤＰ
２      放熱シート
３      シャーシベース
４      緩衝部材
１１      前面基板
１２      背面基板
３１      ボス
３２      支持部
３３      収容部
【図１】
2006133737.tif 000003
【図２】
2006133737.tif 000004
【図３】
2006133737.tif 000005
【図４】
2006133737.tif 000006
【図５】
2006133737.tif 000007
【図６】
2006133737.tif 000008
【図７】
2006133737.tif 000009
【図８】
2006133737.tif 000010
【図９】
2006133737.tif 000011
【図１０】
2006133737.tif 000012
【図１１】
2006133737.tif 000013
【図１２】
2006133737.tif 000014
【図１３】
2006133737.tif 000015